(57)【特許請求の範囲】
【請求項１】
横長の固定片と、固定片の左右両側端に位置し、固定片を挟んで前後に延び、笠木の厚さと略同一な長さを有する側カバー片と、固定片の上端に位置し、固定片を挟んで前後に側カバー片と略同一幅で延びる上カバー片とを備えた笠木カバーが、２つの笠木の接続端部間に配設され、側カバー片、上カバー片が、それぞれ、笠木の接続端部の側端縁部、上端縁部を覆い、固定片と、固定片の一端に位置し、固定片を挟んで前後に延びる鍔部とを備え、鍔部は、固定片の幅方向に延び、固定片の側端から外側に突出する突出部を有しているちり隠し部材が、２つの笠木の接続端部間の下側に配設され、鍔部が、笠木の接続端部の下側端縁部を覆うことを特徴とする笠木接続構造。
【請求項２】
ちり隠し部材の固定片の先端が、笠木カバーの固定片の下端に接触または近接して配置されることを特徴とする請求項１に記載の笠木接続構造。
【発明の詳細な説明】
【技術分野】
【０００１】
本発明は、手摺などに配設される笠木同士を接続する笠木接続構造に関する。
【背景技術】
【０００２】
住宅などの手摺などの上端部に配設される笠木については、隣接する端部において２つの笠木同士が継手部材により接続されている。従来の継手部材としては、特許文献１に記載されたものが例示される。
【０００３】
特許文献１に記載された継手部材は、笠木の突き合わせラインに沿って少なくとも笠木の上半部外周に被設する内側形状を形成してなる適宜幅の硬質合成樹脂成形部材製カバー本体に、カバー本体の両端に位置して笠木の水切り縁などの段縁構造と下側から係合する内方に屈折した係合嵌着縁を突設するとともに、カバー本体の内面側に位置してその幅方向中央に、突合せ面方向に延びる挟持プレートを一体的に成形し、挟持プレートに対して笠木の端部部材板厚内面に自由端を当接する舌状板発条構造を両面側にそれぞれ弾性付勢して一体的に成形したものである。
【０００４】
上記継手部材を突き合わせた笠木端部の間隙に挟持プレートを挿入するように押し込むと、カバー本体の弾性により係合嵌着縁が笠木の面に沿って拡開しながらすべり移動し、段縁構造と下側から係着する。同時に、挟持プレートの両面側に突出している舌状板発条構造が、それぞれ、面内に収容されるように弾性に抗して押し込まれながら笠木の板厚を乗り越え、乗り越えたところで弾性復帰して自由端が天板の内側面に当接する。したがって、上記継手部材は、係合嵌着縁と舌状板発条構造によって笠木に止着し、確実かつ強固に取り付けられ、笠木から簡単に脱落することはない。
【特許文献１】実開平５−９４４３９号公報
【発明の開示】
【発明が解決しようとする課題】
【０００５】
しかしながら、上記継手部材では、係合嵌着縁は、カバー本体の弾性による笠木の面に沿った拡開を可能にしながら、笠木下端部の段縁構造に下側から係着しなければならないため、係合嵌着縁の大きさ、形状などにある種の制約がある。このため、段縁構造を形成する水切り縁などの幅全体にわたって覆うことはあまりなく、笠木同士の接続端部間には下側端縁部に「ちり」と呼ばれる間隙が生じることがしばしばある。笠木の接続端部はいわゆる切りっ放しの状態にあり、ちりが発生すると、手摺では笠木の接続端部の下側端縁部に手指が回り込むので、笠木の接続端部に手指が引っ掛かり、傷付くなどの怪我の虞がある。住宅などの品質性能として安全性は高く要求されるため、そのようなちりは解消すべき重要な問題となる。また、ちりは、見上げたときの外観に影響するとの観点からも解消が望まれる。一般には、パテの埋め込み、コーキングなどによってちりを消失させることが考えられるが、それ自体が手間のかかる作業であるとともに、ちりは、上記の通り、笠木の接続端部の下側端縁部に発生するため、作業しにくい位置でもあり、施工性の悪さがクローズアップされる。
【０００６】
本発明は、以上の通りの事情に鑑みてなされたものであり、笠木同士の接続端部間に生ずる下側端縁部のちりを隠し、回り込んだ手指を笠木の接続端部に引っ掛かりにくくして手摺としての安全性とともに、見上げたときの外観を向上させ、しかも施工性が良好である笠木接続構造を提供することを課題としている。
【課題を解決するための手段】
【０００７】
本発明は、上記の課題を解決するために、以下の特徴を有している。
【０００８】
第１には、横長の固定片と、固定片の左右両側端に位置し、固定片を挟んで前後に延び、笠木の厚さと略同一な長さを有する側カバー片と、固定片の上端に位置し、固定片を挟んで前後に側カバー片と略同一幅で延びる上カバー片とを備えた笠木カバーが、２つの笠木の接続端部間に配設され、側カバー片、上カバー片が、それぞれ、笠木の接続端部の側端縁部、上端縁部を覆い、固定片と、固定片の一端に位置し、固定片を挟んで前後に延びる鍔部とを備え、鍔部は、固定片の幅方向に延び、固定片の側端から外側に突出する突出部を有しているちり隠し部材が、２つの笠木の接続端部間の下側に配設され、鍔部が、笠木の接続端部の下側端縁部を覆うことを特徴としている。
【０００９】
第２には、上記第１の特徴において、ちり隠し部材の固定片の先端が、笠木カバーの固定片の下端に接触または近接して配置されることを特徴としている。
【発明の効果】
【００１１】
本発明は、上記第１の特徴により、２つの笠木の接続端部間の下側に配設されたちり隠し部材の鍔部によって笠木の接続端部の下側端縁部が覆われ、ちりが隠れるので、手摺において笠木の接続端部の下側端縁部に回り込んだ手指が笠木の接続端部に引っ掛かりにくくなり、怪我の発生を抑えることができる。手摺としての安全性が向上する。また、ちりが視認されにくくなり、見上げたときの外観が向上する。しかも、ちり隠しは、ちり隠し部材の配設という簡便な作業により実現され、施工性が良好となる。これに加えて、鍔部を突出部において切り落とすことができ、施工現場において適当な大きさに加工することが可能となり、ちり隠しの施工性がさらに良好となる。
【００１２】
また、本発明は、上記第２の特徴により、上記効果に加え、ちり隠し部材の固定片の面積が拡大し、笠木に接着剤を用いて固定する際の接着強度が大きくなる。ちり隠し部材が安定に２つの笠木の接続端部間に配設される。
【発明を実施するための最良の形態】
【００１４】
図１は、本発明の笠木接続構造の一実施形態を示した分解斜視図である。
【００１５】
図１に示した笠木接続構造では２つの笠木１ａ、１ｂが垂直方向に接続される。両笠木１ａ、１ｂは、同一形状を有する板状の樹脂製部材であり、笠木１ｂが水平面内に配置され、笠木１ａは鉛直面内に配置され、両笠木１ａ、１ｂにおいて近接する端部が接続端部２とされ、接続端部２において両笠木１ａ、１ｂが垂直に交わるように接続される。このような垂直接続を可能とするように、両笠木１ａ、１ｂは、接続端部２において端面３が４５°で表面側から裏面側に向かって内方に傾斜するように切断されている。
【００１６】
笠木１ａ、１ｂは、接続端部２間に笠木カバー４とともにちり隠し部材５が配設されて垂直に接続される。笠木カバー４は、横幅が笠木１ａ、１ｂの横幅より若干大きい横長の部材であり、樹脂による一体成形品とされている。ちり隠し部材５も樹脂による一体成形品とされているが、その横幅は笠木カバー４に比べて短くされている。ちり隠し部材５は、笠木１ａ、１ｂの接続端部２の下側に配置され、接続端部２の左右の側縁部に１つずつ配設される。
【００１７】
図２は、図１に示した笠木カバー４の拡大斜視図である。
【００１８】
笠木カバー４は、笠木１ａ、１ｂの幅方向に延びる横長長方形状の固定片６を備えている。固定片６の横方向の左右両側端には、縦方向に延びる側カバー片７が配設されている。側カバー片７は、固定片６の下端より下方に延び、長さは、笠木１ａ、１ｂの厚さと略同一とされている。また、側カバー片７は、幅方向の中央において固定片６に接続し、固定片６を挟んで前後に同一幅で延びている。さらに、側カバー片７には、略Ｖ字状の切欠８が下端に形成されている。切欠８の角度θ１は笠木１ａ、１ｂの接続角度に一致し、図１に示した実施形態では笠木１ａ、１ｂの接続角度は９０°であるので、切欠８の角度θ１は９０°とされている。このような側カバー片７は、樹脂一体成形品である笠木カバー４では、固定片６と一体に形成されている。
【００１９】
また、笠木カバー４では、固定片６の横方向に沿って延びる上カバー片９が固定片６の上端に配設されている。上カバー片９の幅は側カバー片７の幅と略同一であり、上カバー片９は幅方向の中央において固定片６に接続し、固定片６を挟んで前後に同一幅で延びている。上カバー片９の側カバー片７側の左右両端部には、笠木１ａ、１ｂの左右両端縁部の上側に形成された、図１に示したような面取り部１０に対応する面取り部１１が形成され、上カバー片９は側カバー片７にも接続している。このような上カバー片９は、樹脂一体成形品である笠木カバー４では、固定片６および２つの側カバー片７と一体に形成されている。
【００２０】
笠木カバー４は、図１に示したように、固定片６の前後面に両面テープなどの粘着材１２が施工現場において取り付けられ、固定片６を２つの笠木１ａ、１ｂの接続端部２の端面３に重ね合わせ、粘着材１２によって固定されて、笠木カバー４は、両笠木１ａ、１ｂの接続端部２間に配設される。
【００２１】
図３は、図１に示したちり隠し部材５の拡大斜視図である。
【００２２】
ちり隠し部材５は、笠木１ａ、１ｂの厚さ方向に延びる縦長長方形状の固定片１３を備えている。固定片１３の下端には、固定片１３の幅方向に延びる、断面略Ｖ字状の鍔部１４が配設されている。鍔部１４は、固定片１３の左右両側端から外側に向かって延び、固定片１３の外側に突出する突出部１５を左右両側端部に有している。ちり隠し部材５は樹脂一体成形品であるので、鍔部１４は、図４図中に示した一点鎖線まで、すなわち、固定片１３の側端までの横幅範囲内で切断が可能であり、施工現場において笠木の接続端部の構造などに応じて適当な大きさに加工することができる。鍔部１４の角度θ２は、図２に示した笠木カバー４における側カバー片７の下端に形成された切欠８の角度θ１に一致している。つまり、鍔部１４の角度θ２も９０°とされている。
【００２３】
また、鍔部１４は、縦幅方向、すなわち、固定片１３の幅に対応する横幅に対する直角方向の中央において固定片１３に接続し、固定片１３を挟んで前後に同一縦幅で延びている。したがって、ちり隠し部材５は、前後左右に関して対称な形状を有し、図１に示した笠木１ａ、１ｂの接続端部２の左右側縁部のどちらにも配設可能とされ、部材の共通化が図られている。このような鍔部１４は、樹脂一体成形品とされたちり隠し部材５では、固定片１３と一体に形成されている。
【００２４】
ちり隠し部材５は、図１に示したように、固定片１３の前後面または前面のみに接着剤が塗布され、また、必要に応じて鍔部１４の固定片１３側の面にも接着剤が塗布され、固定片１３を２つの笠木１ａ、１ｂの接続端部２の端面３に重ね合わせ、また、鍔部１４の固定片１３側の面を両笠木１ａ、１ｂの接続端部２の裏面端縁部に裏側から重ね合わせるとともに、笠木カバー４の側カバー片７の下端面に下側から接触させ、接着剤によって固定され、両笠木１ａ、１ｂの接続端部２の左右の側縁部に１つずつ配設される。
【００２５】
図４は、２つの笠木１ａ、１ｂの接続後の状態を示した斜視図である。
【００２６】
２つの笠木１ａ、１ｂは、接続端部２において笠木カバー４およびちり隠し部材５を介して垂直に接続され、袖壁１６の上端部に取り付けられている。笠木カバー４の側カバー片７、上カバー片９は、それぞれ、両笠木１ａ、１ｂの接続端部２の側端縁部、上端縁部を覆い、見下ろしたときの外観に接続端部２が現れず、外観が良好となる。
【００２７】
また、２つのちり隠し部材５の鍔部１４が、両笠木１ａ、１ｂの接続端部２の下側端縁部を両笠木１ａ、１ｂの左右両側端側において覆い、接続端部２に生ずるちりが隠れる。鍔部１４が覆う下側端縁部以外の接続端部２の下側は、袖壁１６の上端部上に配置されることから、この部分に生ずるちりは袖壁１６により隠れる。このため、手摺において笠木１ａ、１ｂの接続端部２の下側端縁部に回り込んだ手指が笠木１ａ、１ｂの接続端部２に引っ掛かりにくくなり、怪我の発生を抑えることができる。手摺としての安全性が向上する。また、ちりが視認されにくくなり、見上げたときの外観が向上する。このようなちり隠しは、ちり隠し部材５の配設という簡便な作業により実現され、施工性が良好となる。上記の通り、ちり隠し部材５の鍔部１４は突出部１５において切り落とし可能であり、施工現場において笠木の構造などに応じて適当な大きさに加工することができ、ちり隠しの施工性がさらに良好となる。
【００２８】
２つの笠木１ａ、１ｂを垂直に接続する施工手順としては、図１および図５に示したように、まず、笠木カバー４の固定片６の前後面に粘着材１２を取り付け、固定片６を笠木１ａの接続端部２の端面３に重ね合わせ、粘着材１２によって笠木カバー４を笠木１ａの接続端部２に固定する。このとき、側カバー片７および上カバー片９の内側に笠木１ａを配置し、笠木１ａの接続端部２の側端縁部、上端縁部が側カバー片７、上カバー片９によってそれぞれ隠れるようにする。たとえば、側カバー片７、上カバー片９の裏面を、それぞれ、笠木１ａの接続端部２の側面、表面の上に重ね合わせるように笠木カバー４を笠木１ａの接続端部２に配置する。
【００２９】
この後、ちり隠し部材５の固定片１３の前後面または前面のみに接着剤を塗布し、また、必要に応じて鍔部１４の固定片１３側の面にも接着剤を塗布し、固定片１３を２つの笠木１ａ、１ｂの接続端部２の端面３に重ね合わせ、また、鍔部１４の固定片１３側の面を両笠木１ａ、１ｂの接続端部２に幅方向の端縁面に裏側から重ね合わせるとともに、笠木カバー４の側カバー片７の下端面に下側から接触させ、接着剤によってちり隠し部材５を笠木１ａの接続端部２に固定する。ちり隠し部材５は、笠木１ａの接続端部２において笠木カバー４の下方に配置される。ちり隠し部材５は、笠木１ａの接続端部２の左右の側縁部に１つずつ配設する。
【００３０】
このとき、ちり隠し部材５の固定片１３の先端１３ａが、笠木カバー４の固定片６の下端６ａに接触または近接して配置されるようにすると、具体的には、固定片１３の長さを長めに取るなどによって実現されるが、この場合、固定片１３の面積が拡大し、笠木１ａに接着剤を用いて固定する際の接着強度が大きくなる。ちり隠し部材５が安定に２つの笠木１ａ、１ｂの接続端部２間に配設されることになる。
【００３１】
次いで、図１に示したように、笠木１ｂの接続端部２の端面３を笠木カバー４の固定片６およびちり隠し部材５の固定片１３に重ね合わせ、粘着材１２または粘着材１２とともに接着剤によって笠木１ｂを固定すると、笠木１ａ、１ｂが垂直方向に接続され、接続が完了する。この場合、笠木カバー４の側カバー片７および上カバー片９の内側に笠木１ｂを配置し、笠木１ｂの接続端部２の側端縁部、上端縁部が側カバー片７、上カバー片９によってそれぞれ隠れるようにする。たとえば、側カバー片７、上カバー片９の裏面を、それぞれ、笠木１ｂの接続端部２の側面、表面の上に重ね合わせるように笠木１ｂを笠木カバー４に配置する。
【００３２】
なお、本発明の笠木接続構造は、上記実施形態に示した垂直接続ばかりでなく、２つの笠木の接続角度が鈍角となる接続や、２つの笠木が同一水平面内において直角に接続する場合にも適用可能である。接続する２つの笠木の接続端部の端面を各態様に合わせて切断するとともに、ちり隠し部材の鍔部の角度を調整することによりそのような接続に対応することができる。
【図面の簡単な説明】
【００３３】
【図１】本発明の笠木接続構造の一実施形態を示した分解斜視図である。
【図２】図１に示した笠木接続構造に用いられている笠木カバーを示した斜視図である。
【図３】図１に示した笠木接続構造に用いられているちり隠し部材を示した斜視図である。
【図４】図１に示した笠木接続構造を示した斜視図である。
【図５】図１に示した笠木接続構造の施工手順を示した斜視図である。
【符号の説明】
【００３４】
１ａ、１ｂ  笠木
２  接続端部
４  笠木カバー
５  ちり隠し部材
６  固定片
６ａ  下端
７  側カバー片
９  上カバー片
１３  固定片
１３ａ  先端
１４  鍔部
１５  突出部
【図１】
0005260105.tif 000002
【図２】
0005260105.tif 000003
【図３】
0005260105.tif 000004
【図４】
0005260105.tif 000005
【図５】
0005260105.tif 000006